(57)【特許請求の範囲】
【請求項１】
外科手術縫合線材料用パッケージにおいて、
ベースシート（１）と、
前記ベースシートから延出する螺旋状の壁部（３）であって、
当該壁部（３）が、螺旋状の糸導管部（５）を画定しており、
当該糸導管部（５）が、この糸導管部（５）の第１の端部（６）において糸外し領域（７）の中に開口している、
壁部（３）と、
前記糸導管部（５）のためのカバー（９）と、
を具備し、
前記壁部（３）が、この壁部（３）の外向側面（１０）上に、前記糸導管部（５）の経路中において互いに離間する複数の糸偏向突出部（１２）を備えており、
前記カバー（９）が、前記壁部（３）の経路に整合するリップ部（１４）を有しており、
当該リップ部（１４）が、前記糸導管部（５）における前記壁部（３）の外向側面（１０）に接合し、かつ、前記糸偏向突出部（１２）との隣接領域内に凹部（１５）を備えており、
当該凹部（１５）の中に前記糸偏向突出部（１２）が突出している、外科手術縫合線材料用パッケージ。
【請求項２】
請求項１に記載の外科手術縫合線材料用パッケージにおいて、
前記カバー（９）が、前記リップ部（１４）に平行に、第２のリップ部（１６）を有しており、
当該第２のリップ部（１６）が、前記糸導管部（５）における前記壁部（３）の内向側面（１７）に接合している、外科手術縫合線材料用パッケージ。
【請求項３】
請求項１または２に記載の外科手術縫合線材料用パッケージにおいて、
前記糸偏向突出部（１２）が、くさび形形状を有しており、
当該くさび形形状の頂部が、前記糸導管部（５）の第１の端部（６）に向いている、外科手術縫合線材料用パッケージ。
【請求項４】
請求項１ないし３のいずれか１項に記載の外科手術縫合線材料用パッケージにおいて、
前記糸導管部（５）の経路において、前記ベースシート（１）と前記壁部（３）との間の遷移領域、および／または、前記壁部（３）と前記カバー（９）との間の遷移領域が、丸みを付けた構成になっている、外科手術縫合線材料用パッケージ。
【請求項５】
請求項１ないし４のいずれか１項に記載の外科手術縫合線材料用パッケージにおいて、
前記ベースシート（１）および／または前記カバー（９）が、前記糸導管部（５）の第２の端部（８）の領域内に開口部（３８）を有している、外科手術縫合線材料用パッケージ。
【請求項６】
請求項１ないし５のいずれか１項に記載の外科手術縫合線材料用パッケージにおいて、
前記糸外し領域（７）が、前記糸導管部（５）により囲まれる領域内に配置されている、外科手術縫合線材料用パッケージ。
【請求項７】
請求項６に記載の外科手術縫合線材料用パッケージにおいて、
前記カバー（９）には、前記糸外し領域（７）に接近するための開口が少なくとも部分的に残されている、外科手術縫合線材料用パッケージ。
【請求項８】
請求項１ないし７のいずれか１項に記載の外科手術縫合線材料用パッケージ
前記糸外し領域（７）において、くさび形形状の傾斜部（４０）が前記ベースシート（１）に配置されており、
当該傾斜部（４０）が、前記ベースシート（１）と一体に形成されており、かつ、糸ホルダー（４２，４３）がこの傾斜部に割り当てられている、外科手術縫合線材料用パッケージ。
【請求項９】
請求項８に記載の外科手術縫合線材料用パッケージにおいて、
前記カバー（９）から延びる舌部（４１）が、前記傾斜部（４０）に設けられた凹部内に突出している、外科手術縫合線材料用パッケージ。
【請求項１０】
請求項１ないし９のいずれか１項に記載の外科手術縫合線材料用パッケージにおいて、
１つ以上の外科手術針（３０〜３３）を保持するための保持手段（２０）が、前記糸外し領域（７）において、前記ベースシート（１）に配置されており、
当該保持手段（２０）が、前記ベースシート（１）と一体に形成されている、外科手術縫合線材料用パッケージ。
【請求項１１】
請求項１０に記載の外科手術縫合線材料用パッケージにおいて、
少なくとも１つの外科手術針（３０〜３３）を支持するための支持片（２６）が、前記ベースシート（１）に配置されており、
当該支持片（２６）が、前記ベースシート（１）と一体に形成されている、外科手術縫合線材料用パッケージ。
【請求項１２】
請求項１ないし１１のいずれか１項に記載の外科手術縫合線材料用パッケージにおいて、
前記糸導管部（５）が、複数本の外科手術糸（３４，３５；４６，４７）を収容するように構成されている、外科手術縫合線材料用パッケージ。
【請求項１３】
請求項１ないし１２のいずれか１項に記載の外科手術縫合線材料用パッケージにおいて、
前記ベースシート（１）および前記壁部（３）が、互いに一体に形成されている、外科手術縫合線材料用パッケージ。
【請求項１４】
請求項１３に記載の外科手術縫合線材料用パッケージにおいて、
前記カバー（９）および前記壁部（３）が、留め具および／または凹部に係合するリベット形状の突出部（１８）により、互いに接続されている、外科手術縫合線材料用パッケージ。
【請求項１５】
請求項１３または１４に記載の外科手術縫合線材料用パッケージにおいて、
上層部（５０）が、前記糸外し領域（７）の上方に備えられている、外科手術縫合線材料用パッケージ。
【請求項１６】
請求項１ないし１５のいずれか１項に記載の外科手術縫合線材料用パッケージにおいて、
清浄度を確保するための外側包容体（６０，６２）が、前記パッケージに備えられている、外科手術縫合線材料用パッケージ。
【請求項１７】
請求項１ないし１６のいずれか１項に記載の外科手術縫合線材料用パッケージにおいて、
前記パッケージ内に収容される外科手術縫合線材料（３０〜３３，３４，３５；４６，４７）、
をさらに具備する、外科手術縫合線材料用パッケージ。
【発明の詳細な説明】
【０００１】
【発明の属する技術分野】
本発明は外科手術縫合線材料用パッケージまたは当該パッケージ用コンテナに関する。
【０００２】
【従来の技術】
外科手術縫合線材料用パッケージはドイツ特許公開第１  ４６６  ８０８号およびこれに並行する米国特許第３  ３３８  ４０１号に教示されており、これらの文献においては、壁部が螺旋状にベースシートから延出している。この壁部は螺旋状の螺旋状の糸導管を形成し、この糸導管はその第１の端部において糸外し領域内に向けて開口している。さらに、カバーがこの糸導管に備えられている。例えば、縫合糸または一端部に外科手術針を取り付けた縫合糸のような縫合線材料をパッケージから取り外す場合には、糸外し領域または外科手術針内に突出している糸の端部を把持して、その糸を糸導管の第１の端部を介して当該糸導管から引き出す。
【０００３】
しかしながら、このような従来の外科手術縫合線材料用パッケージには以下のような不都合点があった。すなわち、外科手術縫合線材料を取り外す時に、幾つかの螺旋回転部にわたって案内されている縫合糸を糸導管内で強く引張る必要がある。さらに、糸をパッケージから取り外す場合に、糸が糸導管の内側に移動して、製造プロセスによってしばしば形成される空隙部のある螺旋状に延出する壁部とカバーとの間の境界領域内に入り込む。従って、糸がその境界領域内に押し込まれるために、この外科手術縫合線材料の取り外しがさらに困難になる。
【０００４】
【発明が解決しようとする課題】
従って、本発明の目的は、パッケージ内に配備した外科手術縫合線材料を容易に取り外すことのできる、上述の類の外科手術縫合線材料のパッケージを提供することを目的とする。
【０００５】
【課題を解決するための手段】
この目的を達成するために、本発明の外科手術縫合線材料用パッケージは上記特許請求の範囲における請求項１に記載の特徴を有している。さらに、以下に述べる本発明の実施態様によりその特定の構成および特徴を明確にする。
【０００６】
すなわち、本発明による外科手術縫合線材料用パッケージはベースシートを有しており、当該ベースシートから壁部が螺旋状に延出している。この螺旋状に延出する壁部は螺旋状の糸導管を形成しており、当該糸導管はその第１の端部において糸外し領域内に開口している。さらに、カバーがこの糸導管に備えられている。上記壁部はその外向側面に糸偏向突出部を備えており、当該突出部は糸導管の経路に沿って互いに離間している。
【０００７】
この糸偏向突出部は、外科手術縫合線材料の取り外し時に縫合糸を糸導管から引き抜く時に、その縫合糸がその糸導管内の全長にわたって上記壁部の外向側面に対して押圧されないという作用効果（「キャプスタン（capstan）効果」）を呈すると同時に、当該縫合糸がこの糸偏向突出部によって壁部の外向側面から繰り返して案内除去できる。なお、この糸偏向突出部が備えられていないと、上述したように、螺旋状糸導管を通して糸を引張った場合に力が生じる。従って、縫合糸を取り外す際に生じる摩擦力が大幅に減少して、糸が壁部とカバーとの間の境界領域内に押し込まれる傾向も少なくなり、外科手術縫合線材料が不都合なくパッケージから取り外すことができる。
【０００８】
本発明の好ましい態様においては、上記カバーは上記壁部の経路に整合して糸導管内において壁部の外向側面に寄りかかるリップ部材を有しており、上記糸偏向突出部の領域内において当該糸偏向突出部が突出する凹部を備えている。このような構成により、上記糸偏向突出部は外科手術縫合線材料の除去時に縫合糸が上記リップ部材と壁部との間に捕捉されることを完全に阻止する。従って、当該壁部とカバーとの間の境界領域は外科手術縫合糸を糸導管から引き抜く時に何ら不都合を生じない。好ましくは、上記リップ部と平行に、上記カバーが第２のリップ部を供えており、この第２のリップ部は糸導管内の壁部の内向側面に寄りかかるように構成されている。この場合、両方のリップ部によって壁部がカバーに対して固定され、これによって、パッケージの安定性が向上し、壁部とカバーとの間のシール効果が高まる。
【０００９】
上記糸偏向突出部はくさび状の形態にすることができ、この場合、各くさびの頂部が糸導管の第１の端部に向かう各点に方向付けられている。このような構成にすることによって、外科手術縫合糸を糸導管の第１端部を介して当該糸導管内に導入する際に、外科手術縫合糸の端部を上述の形態にした糸偏向突出部に沿って滞りなく摺動させながら、パッケージに外科手術縫合線材料を容易に充填できる。
【００１０】
好ましい態様においては、上記糸導管の経路に沿って、上記ベースシートと壁部との間の境界領域および／または上記壁部とカバーとの間の境界領域を丸みを付けた構成にすることによって、外科手術縫合線材料の取り外し時における摩擦力を減少することも可能である。
【００１１】
好ましくは、上記ベースシートおよび／またはカバーは上記糸導管の第２の端部の領域において開口部を有している。すなわち、外科手術縫合線材料をパッケージ内に入れる時に、螺旋状に延出する壁部を有するベースシートとカバーが既に互いにしっかり接合している場合に、この開口部に負圧を供給する。これによって、糸外し領域に到達しない糸の端部を糸導管の第１の端部を介して当該糸導管内に導いて、糸導管内にこの負圧により吸引する。このようにして、外科手術縫合糸を迅速確実に処理中に絡まることなく糸導管内に導入できる。
【００１２】
さらに好ましい態様において、上記糸外し領域は上記糸導管により囲まれる領域内に備えられており、上記カバーはこの糸外し領域を少なくとも部分的に露出した状態にするのが好ましい。すなわち、この糸外し領域はパッケージの中央部内に配置されていて、当該糸外し領域がカバーに遮られずに自由に近づけるようになっている。このような形態にすることによって、上記螺旋状の糸導管はその第１端部近傍、すなわち、糸外し領域の近傍における半径が、その第２端部近傍における半径に比して小さな構成になる。この結果、縫合糸の取り外しがより円滑に行なえるだけでなく、外科手術縫合線材料用パッケージへの充填が容易になる。なお、糸導管の半径が大きくなると、いわゆる糸記憶効果、すなわち、パッケージから取り外された後に外科手術縫合糸が当該パッケージ内に在った位置に戻る傾向度が低減する。
【００１３】
さらに、くさび形傾斜部がベースシートの一部として形成されているのが好ましく、上記糸外し領域内のベースシートに備えることができる。外科手術針に取り付けられていない数本の外科手術縫合糸が糸導管内にある場合に、この傾斜部が個々の糸の取り外しを容易にする。すなわち、糸導管の第１端部から突出する縫合糸の束をこの傾斜部上において親指で回転して移動する。この処理によって、糸の束がばらばらになり、個々の糸の端部が容易に把持できるようになり、所望の糸を糸導管から引き抜くことができる。この時、舌状部材が上記カバーから上記傾斜部に備えられた凹部内に突出しているのが好ましい。すなわち、この舌状部材は糸の束がばらばらに散開する時に、外科手術縫合糸が傾斜部とカバーとの間に捕捉されるのを防ぐ。さらに、この傾斜部に糸ホルダーが備えられているのが好ましい。
【００１４】
また、外科手術針に取り付けた糸を有する外科手術縫合線材料用パッケージ内に入れる場合は、好ましい態様において、１個以上の外科手術針を保持する保持手段がベースシートにおける糸外し領域内に備えられており、当該保持手段がベースシートの一部として構成されているのが好ましい。さらに、１個以上の外科手術針に対応する支持片をベースシートに備えることができ、この片状部材をベースシートの一部として構成するのが好ましい。これにより、１個以上の外科手術針が保持手段の作用によってパッケージ内に配備可能となる。この結果、糸を付けた個々の針を簡単かつ正確に取り外すことができる。また、上記の保持手段をベースシートの一部として構成することによって、この保持手段のために付加的な材料を何ら必要とせず、製造コストを低減し、廃棄における環境問題においても好適である。また、上記支持片は外科手術針にほぼ垂直に延出するように構成されているのが好ましい。従って、ベースシートの上面との間に一定の空隙部が維持でき、これによって、支持片と保持手段との間の領域内に不都合なく外科手術針を把持して、処理中にずれや傾斜を生じることなく取り外すことができる。
【００１５】
既に述べたように、上記糸導管は数本の外科手術用縫合糸を収容するように構成できる。このためには、この糸導管は糸の厚さの数倍に適応する一定の幅と高さを有する必要がある。本発明者らの試験によれば、１２本以上の糸が他の近接する糸による顕著な制約なく個々に取り外せるように糸導管内に収容できることが分かっている。さらに、糸導管内の残りの糸はそれらの元の位置にほとんど維持でき、せいぜい僅かなずれを生じるだけである。このような好ましい調整が上述の糸偏向突出部によっても十分に行なうことができる。外科手術縫合糸は糸導管内に折り込まれていない方が好ましく、糸導管は収容される外科手術縫合糸の長さ（例えば、４５ｃｍまたは７０ｃｍ）と同等以上の全長を有している。
【００１６】
ベースシートおよび壁部は互いに一体に形成されているのが好ましい。また、上記カバーと壁部は係止部材および／または突出部、好ましくは、凹部に係合するリベットのような手段により互いに接続していてもよい。好ましい実施形態においては、壁部を有するベースシートとカバーはそれぞれ射出成形により形成されており、この射出成形はポリプロピレンおよび／またはポリエチレンにより行なうことができる。従って、この射出成形は安価かつ高精度に行なえる。加えて、このように最小の異なる構成材料を使用することによって、製造コストを低減でき、かつ、パッケージの廃棄時に環境汚染の問題を減少できる。
【００１７】
さらに、上層部を上記糸外し領域に備えることができる。この上層部は例えば厚紙から形成することができ、折り戻し可能である。あるいは、この上層部をカバー状に配置して、当該上層部により形成されるノーズ部によりカバーに係止することもできる。この上層部は上記糸外し領域、外科手術用縫合糸または針等を機械的に保護し、さらに、当該上層部が折り戻し可能または糸外し領域から除去可能に構成されている場合は、糸外し領域への迅速接近が可能になる。また、製品ラベルをこの上層部またはカバーに取り付けることができる。
【００１８】
さらに、清浄度を確保するための、例えば、アルミニウムまたはアルミ化ホイルを含む外側包装をパッケージに付加するのが好ましい。
【００１９】
【発明の実施の形態】
以下、図面に基づいて本発明の好ましい実施形態を詳述する。
本発明による外科手術縫合線材料のパッケージの第１の実施形態を図１に示す。すなわち、このパッケージはベースシート１を有しており、当該ベースシート１からは、図２に示すように壁部３が起立している。この壁部３は螺旋状に延出してベースシート１と一体に接続している（図１および図２参照）。さらに、螺旋状の糸導管５が壁部３により形成されている。図５に示す糸導管５は本発明の外科手術縫合線材料のパッケージの第２の実施形態における構成要素であるが、図１および図２の実施形態における糸導管５とは全体領域における比率が異なる。図１における点線で示す軸に基づいて分かるように、この糸導管５は当該実施形態において非対称形に構成されている。
【００２０】
糸導管５の第１の端部６は糸外し領域７内に開口しており、この実施形態においては、当該領域７は糸導管５により囲まれる領域内に配置されている。また、糸導管５の第２の端部８は閉じている（図５参照）。さらに、糸導管５はカバー９により上方を閉じられており、このカバー９は、特に図２に示すように、当該実施形態において、シートとして構成されている。カバー９はその中央部において大きな開口部を有しており、この開口部によって上方からの糸外し領域７への接近が自由に行える。
【００２１】
また、壁部３の外向側面１０には複数の糸偏向突出部１２が設けられており、これらの突出部１２は糸導管５の経路に沿って互いに離間している。本発明の外科手術縫合線材料用パッケージの第１の実施形態においては、糸偏向突出部１２は概ねくさび形の断面形状を有しており、図３および図４に示すような滑らかで鋭くない端部を有しているのが好ましい。なお、図３および図４は図２における矢印Ａおよび矢印Ｂの高さにおけるベースシート１に平行な断面をそれぞれ示している。この実施形態においては、糸偏向突出部１２は壁部３の上方の縁と同程度に延出している。
【００２２】
さらに、第１のリップ部１４が壁部３の経路に整合してカバー９から下方に延在している。このリップ部１４は、図２および図４に示すように、カバー９を閉じた時に、壁部３の外向側面１０に接触する。糸偏向突出部１２の領域内において、第１リップ部１４は凹部１５を形成し、この凹部１５において、壁部３の上方縁と同程度に延出する糸偏向突出部１２が突出している。また、この第１リップ部１４と平行にカバー９から第２のリップ部１６が延出しており、このリップ部１６はカバー９が閉じられた時に壁部３の内向側面１７に接触する。この実施形態においては、第２リップ部１６は図４に示すように凹部１５に対応する空隙部を有していない。
【００２３】
第１リップ部１４および第２リップ部１６は図２に示すように壁部３の上部を包容して壁部３をカバー９に固定している。而して、上記糸偏向突出部１２と第１リップ部１４との間の相互作用により、糸をパッケージから取り外す時に、外科手術縫合糸が壁部３とカバー９との間の境界領域に挟まって取れなくなることが確実に回避できる。すなわち、糸がカバー９の方向に移動すると、糸偏向突出部１２によって糸が第１リップ部１４と壁部３との間の空隙部から離間されるようになっている。
【００２４】
カバー９を壁部３に接続するために、本実施形態においては、図２に示すように、壁部３の多数個の点から突出部１８が突出してカバー９の対応する開口部に挿入されている。この突出部１８の端部はカバー９が壁部３を介してベースシート１に嵌合した後にリベットの形態に変形される。なお、壁部３とカバー９との間の上記と異なる、および／または、付加的な接続方法が可能である。例えば、カバー９の周辺部から突出して壁部３の対応する部分に係合する留め具の使用が考えられる。
【００２５】
上記の第１実施形態およびこれに類似の第２実施形態は外科手術針を一端部に取り付けた外科手術縫合糸からなる外科手術用縫合線材料に使用することを目的とする。図１および図５に示すように、当該両方の実施形態において、数本の外科手術針を保持するための保持手段２０が糸外し領域７内に配備されている。各外科手術針に対して、保持手段２０は第１の２部分クランプ２２と第２の２部分クランプ２３を有しており、各クランプは２個のクランプ部分から構成され、当該クランプ部分は尖端状に上方に突出して弾性的に互いに対向して構成されている。さらに、これらの第１の２部分クランプ２２および第２の２部分クランプ２３は、図１および図５に示すように、それぞれ一列に配列されている。各外科手術針は対応する第１の２部分クランプ２２および第２の２部分クランプ２３内に上方から挿入されて図５のように配置される。加えて、ベースシート１に対向して突出する支持面２４が外科手術針の先端部を支持し、第１の２部分クランプ２２および第２の２部分クランプ２３の列に平行に延在する支持片２６がパッケージからの外科手術針の取り外しを容易にし、かつ、当該外科手術針が揺動を防いでいる。なお、外科手術針を保持する保持手段の別の構成も可能である。例えば、各外科手術針に対して１個の２部分クランプのみを備えてもよい。
【００２６】
図５には、４本の針３０，３１，３２および３３が異なる大きさで例示的に示されているが、他の種類の針、例えば直線状の外科手術針も当該パッケージ内に収容可能である。さらに、針３０に取り付けた外科手術縫合糸３４の全長が図５において点線で示されており、糸導管５の第２端部８にほぼ至る程度に延在している。なお、簡略化のために、図５においては、針３１の糸３５の経路は糸導管５の第１端部６までのみ示されており、他の糸は示されていないが、全ての糸が糸導管５の中を走通している。なお、この糸導管５の寸法は、１本の外科手術縫合糸を取り外す際に、他の糸に対して絡み等の悪影響を及ぼさない程度に十分に大きく構成されている。
【００２７】
本実施形態においては、カバー９の嵌合により糸導管５が閉じられた後にパッケージに外科手術縫合線材料が収容される。糸導管５の第２端部８の領域において、図５に示すように、ベースシート１は開口部３８を有している。この開口部３８を介して糸導管５は負圧供給源と連通できる。従って、パッケージ内に導入する外科手術縫合糸の端部が糸導管５の第１端部６に運ばれた後に、負圧供給源の補助により糸導管５の中に吸引できる。従って、この機能により、図５に示すように、外科手術縫合糸を糸導管５に沿って迅速かつ確実に配備できる。特に、糸偏向突出部１２はパッケージ処理中に外科手術縫合糸の端部の移動を妨げず、むしろ、図３および図４に示すようなくさび形の構成とすることによって、外科手術縫合糸の端部が不都合なくそれらに沿って摺動可能となる。
【００２８】
図５に示すパッケージから外科手術縫合線材料を取り外すためには、所望の外科手術針、例えば、針３０を第２の２部分クランプ２３と支持片２６との間において針ホルダーにより把持して保持手段２０から取り出す。この時、支持片２６は針３０が傾斜するのを防ぐ。その後、外科手術縫合糸３４は針３０を引張ることにより糸導管５から抜き出される。この場合、図２に示す糸３５またはその他の糸のような、他の外科手術縫合糸は糸３４に干渉せず、糸３４が糸導管５から抜き出される時に僅かにその位置を変えるだけである。また、糸３４が引張られる時に生じる力によって、糸３４は壁部３の外向側面１０に向けて押し付けられるが、糸偏向突出部１２は、糸３４が糸導管５内におけるその全長にわたって壁部３に強く擦接することを防ぐ。この結果、糸の取り出しが容易に行える。既に説明したように、糸偏向突出部１２の作用によって、糸３４がカバー９または第１リップ部１４と壁部３との間の隙間または割れ目に入って動かなくなることが完全に回避できる。さらに、図２に示すように、糸導管５の経路内において、ベースシート１と壁部３との間の変遷部、および／または、壁部３とカバー９または第１リップ部１４および第２リップ部１６との間の変遷部、および／または、第１リップ部および第２リップ部１６とカバー９との間の変遷部を丸みを付けた構成にすることによって、外科手術縫合糸の取り外しがさらに容易になる。
【００２９】
図３および図４に示すように、その該当する実施形態において、糸偏向突出部１２は概ねくさび形の形状を有しており、そのくさび形状の頂部が糸導管５の第１端部６に向いていて、ベースシート１とほぼ偏向に延在している。すなわち、糸偏向突出部１２の断面は、本質的に、図３または図４において、糸導管５の第１端部６にその鋭角部を向けた鋭角三角形の形状を有している。しかしながら、他の構成の糸偏向導管も可能であり、例えば、ほぼ長方形状の断面を有するものにしてもよい。
【００３０】
図１乃至図５に示す実施形態において、ベースシート１、糸偏向突出部１２を有する壁部３、および、支持面２４および支持片２６を備えて外科手術針を保持する保持手段２０は、好ましくはポリプロピレンまたはポリエチレンにより、一体に射出成形されている。また、第１リップ部１４および第２リップ部１６を有するカバー９も一体成形することができ、好ましくは、ベースシート１の射出成形と同一材料により形成されている。さらに、これら２個の構成部分は成形後に、図２に基づいて既に説明したように、互いに高精度に接合されて突出部１８においてリベット留めされる。
【００３１】
図６乃至図９は外科手術縫合線材料用パッケージの第３の実施形態を示している図である。この実施形態は外科手術縫合糸のみ、すなわち、針を取り付けていない糸によって構成される外科手術縫合線材料用のものである。この第３実施形態の構造は上記２個の実施形態の構造とほぼ同一であり、図６乃至図９および図１乃至図５における同一参照番号は同一部分または部材を示している。しかしながら、上記２個の実施形態と異なって、この第３実施形態は外科手術針を保持するための保持手段を有さずに、ベースシート１から一体に展開する傾斜部４０を備えている。この傾斜部４０の図６におけるＺで示す領域が図７において拡大斜視図で示されている。さらに、図６および図７に示すように、舌部４１がカバー９から傾斜部４０の上部に形成された凹部の中に突出している。傾斜部４０の両側部において、カバー９は糸外し領域７上に突出しており、これによって２個の突出部４２および突出部４３が形成されて糸ホルダーとして作用する。
【００３２】
図６および図７から分かるように、糸導管５から突出する２本の外科手術縫合糸４６および外科手術縫合糸４７の前方部分は糸外し領域７の内側に案内されて傾斜部４０と２個の突出部４２および突出部４３との間に把持される。それゆえ、糸４６および糸４７の前方部分はカバー９から上方に突出することはない。また、外科手術縫合糸をパッケージから取り出す場合は、オペレータは自分の親指、すなわち、カバー９上で、傾斜部４０の上に糸（この場合、糸４６および糸４７）を巻上げる。この処理において、糸は舌部４１上を移動し、この舌部４１はこの目的のために傾斜部４０内の上述した凹部において十分に下降して、糸がカバー９の上部に移動して傾斜部４０とカバー９との間の隙間に入って固定されないようになっている。従って、この処理において糸の束がばらばらに散開し、これらの糸の前端部が突出部４２の外に現れる。この結果、糸はさらに処理することなく別々に接近可能となり、オペレータは鉗子または他の適当な器具により所望の糸を把持して、図１乃至図５に基づいて既に説明したように、パッケージから引き出すことができる。
【００３３】
図８および図９は上層部５０を示しており、この上層部５０は糸外し領域７の上方に配置されてパッケージの使用前に糸外し領域７を保護する。この実施形態においては、上層部５０は厚紙により形成されており、固定部５１と被覆部５２を有している。この固定部５１はカバー９に接着されており、被覆部５２は糸外し領域７を被覆していて当該糸外し領域７を接近可能にするために折り込み線５３に沿って折り戻し可能になっている。さらに、被覆部５２の取り扱いを容易にするために、上層部５０がカバー９から突出している。すなわち、この実施形態においては、被覆部５２が糸外し領域７の上方にその凹部の端部において下方に突出するノーズ５４により係止されている。また、上記折り込み線５３の代わりに穴あき線を用いれば、被覆部５２は固定部５１から容易に破断分離できる。なお、既に述べた外科手術縫合線材料用パッケージの実施形態においても、上層部５０を使用することが可能である。
【００３４】
さらに、別の実施形態においては、上層部５０が、接着ではなくて、好ましくは、当該上層部５０から延出する係止ノーズによりパッケージに固定されている。例えば、この係止ノーズは糸外し領域７の上方でその凹部の端部においてカバー９に係合できる。その後、この上層部５０は糸外し領域７への接近が必要な時に容易に上方に取り外すことができる。
【００３５】
さらに、パッケージの清浄度およびその中に収容される外科手術縫合線材料の清浄度を確保するために、パッケージを包容する包容体が備えられ、この包容体もまた図８および図９に示されている。すなわち、この第３実施形態においては、上記包容体はカバー９と上層部５０の上方に位置する上層部６０と、ベースシート１の下側において上方に湾曲して当該ベースシート１の端部領域５８に沿って延在する下層部６２を有している。これらの上層部６０および下層部６２は周囲接合端部６４において互いに接着されている。さらに、これらの上層部６０および下層部６２は接合端部６４を超えて延出して上方グリップ突出部６６および下方グリップ突出部６８をそれぞれ形成している。なお、これらの上方グリップ突出部６６および下方グリップ突出部６８は互いに接着されていない。
【００３６】
上記包容体はアルミニウムホイルまたはアルミ化ホイルにより形成されているのが好ましい。この包容体を開封するときは、助手が非滅菌処理環境下において、上方グリップ突出部６６を一方の手で把持し、下方グリップ突出部６８を他方の手で把持して、上層部６０と下層部６２を別方向に引っ張ることにより、中のパッケージに触れることなく、これらを分離できる。さらに、このようにして形成した開口部分は包容体の材料の性質により十分に大きくかつ安定維持されるので、外科医は滅菌環境下において非滅菌状態の上層部６０および下層部６２の外側に接触することなくパッケージを把持することができる。
【００３７】
上述の外科手術縫合線材料用パッケージは種々の変更態様で形成できるが、当該パッケージの形状は供給される外科手術縫合線材料に適合していることが好ましく、例えば、上記糸導管５の長さが充填する外科手術縫合糸の長さに適合している。
【００３８】
本発明の具体的な実施態様は以下の通りである。
（Ａ）壁部３が螺旋状に起立するベースシート１からなり、当該壁部３が螺旋状の糸導管５を形成しており、当該糸導管部５がその第１の端部６において糸外し領域７の中に開口しており、さらに、前記糸導管部５のカバー９からなり、前記壁部３がその外向側面１０上に前記糸導管部５の経路中において互いに離間する複数の糸偏向突出部１２を備えていることを特徴とする外科手術縫合線材料用パッケージ。
（１）前記カバー９が前記壁部３の経路に整合するリップ部１４を有しており、当該リップ部４が前記糸導管部５における壁部３の外向側面１０に接合し、かつ、前記糸偏向突出部１２との隣接領域内に凹部１５を備えており、当該凹部１５の中に糸偏向突出部１２が突出している実施態様（Ａ）に記載の外科手術縫合線材料用パッケージ。
（２）前記カバー９が前記リップ部１４に平行に第２のリップ部１６を有しており、当該第２リップ部１６が前記糸導管部５における壁部３の内向側面１７に接合している実施態様（１）に記載の外科手術縫合線材料用パッケージ。
（３）前記糸偏向突出部１２がくさび形形状を有しており、当該くさび形形状の頂部が前記糸導管部５の第１端部６に向いている実施態様（Ａ）および実施態様（１）および実施態様（２）のいずれか１項に記載の外科手術縫合線材料用パッケージ。
（４）前記糸導管部５の経路において、前記ベースシート１と壁部３との間の遷移領域、および／または、当該壁部３と前記カバー９との間の遷移領域が丸みを付けた構成になっている実施態様（Ａ）および実施態様（１）乃至実施態様（３）のいずれか１項に記載の外科手術縫合線材料用パッケージ。
（５）前記ベースシート１および／または前記カバー９が前記糸導管部５の第２の端部８の領域内に開口部３８を有している実施態様（Ａ）および実施態様（１）乃至実施態様（４）のいずれか１項に記載の外科手術縫合線材料用パッケージ。
【００３９】
（６）前記糸外し領域７が前記糸導管部５により囲まれる領域内に配置されている実施態様（Ａ）および実施態様（１）乃至実施態様（５）のいずれか１項に記載の外科手術縫合線材料用パッケージ。
（７）前記カバー９が少なくとも部分的に開口して前記糸外し領域７に接近可能となる実施態様（６）に記載の外科手術縫合線材料用パッケージ。
（８）前記糸外し領域７において、くさび形形状の傾斜部４０が前記ベースシート１に配置されており、当該傾斜部４０が好ましくはベースシート１と一体に形成されており、さらに、糸ホルダー４２，４３を備えている実施態様（Ａ）および実施態様（１）乃至実施態様（７）のいずれか１項に記載の外科手術縫合線材料用パッケージ。
（９）前記カバー９から舌部４１が前記傾斜部４０に設けた凹部内に突出している実施態様（８）に記載の外科手術縫合線材料用パッケージ。
（１０）前記糸外し領域７において、１個以上の外科手術針３０乃至外科手術針３３を保持する保持手段２０が前記ベースシート１に配置されており、当該保持手段２０が好ましくはベースシート１と一体に形成されている実施態様（Ａ）および実施態様（１）乃至実施態様（９）のいずれか１項に記載の外科手術縫合線材料用パッケージ。
【００４０】
（１１）１個以上の外科手術針３０乃至外科手術針３３を支持するための支持片２６が前記ベースシート１に配置されており、当該支持片２６が好ましくはベースシート１と一体に形成されている実施態様（１０）に記載の外科手術縫合線材料用パッケージ。
（１２）前記糸導管部５が複数本の糸３４，３５，４６および４７を収容するように構成されている実施態様（Ａ）および実施態様（１）乃至実施態様（１１）のいずれか１項に記載の外科手術縫合線材料用パッケージ。
（１３）前記ベースシート１および壁部３が一体に形成されている実施態様（Ａ）および実施態様（１）乃至実施態様（１２）のいずれか１項に記載の外科手術縫合線材料用パッケージ。
（１４）前記カバー９および壁部３が好ましくは凹部に係合するリベット形状の留め具および／または突出部１８により接続している実施態様（１３）に記載の外科手術縫合線材料用パッケージ。
（１５）前記ベースシート１と壁部３および前記カバー９がそれぞれ射出成形により形成されている実施態様（１３）または実施態様（１４）に記載の外科手術縫合線材料用パッケージ。
【００４１】
（１６）前記射出成形がポリプロピレンおよび／またはポリエチレンによりなる実施態様（１５）に記載の外科手術縫合線材料用パッケージ。
（１７）上層部５０が前記糸外し領域７の上方に備えられている実施態様（Ａ）および実施態様（１）乃至実施態様（１６）のいずれか１項に記載の外科手術縫合線材料用パッケージ。
（１８）清浄度を確保するための外側包容体６０，６２がパッケージに備えられている実施態様（Ａ）および実施態様（１）乃至実施態様（１７）のいずれか１項に記載の外科手術縫合線材料用パッケージ。
（１９）パッケージ内に収容する前記外科手術縫合線材料３０乃至外科手術縫合線材料３３，３４，３５，４６および４７を特徴とする実施態様（Ａ）および実施態様（１）乃至実施態様（１８）のいずれか１項に記載の外科手術縫合線材料用パッケージ。
【００４２】
【発明の効果】
以上説明したように、本発明によれば、パッケージ内に配備した針付きまたは針なしの外科手術縫合線材料を容易に取り外すことのできる外科手術縫合線材料用パッケージを提供できる。
【図面の簡単な説明】
【図１】本発明による外科手術縫合線材料用パッケージの第１実施形態の部分破断上面図である。
【図２】図１のＩ−Ｉ線に沿う本発明の外科手術縫合線材料用パッケージの断面図である。
【図３】図２の矢印Ａの高さにおける図１のＸで示す領域の図紙面に平行な本発明の外科手術縫合線材料用パッケージの断面図である。
【図４】図２の矢印Ｂの高さにおける図１のＸで示す領域の図紙面に平行な本発明の外科手術縫合線材料用パッケージの断面図である。
【図５】当該第２実施形態は数本の外科手術針を保持するための保持手段を備えており、カバーを取り外した状態で示されている、本発明による外科手術縫合線材料用パッケージの第２実施形態の部分破断上面図である。
【図６】当該第３実施形態は外科手術針を取り付けていない外科手術縫合糸用に構成されている、本発明による外科手術縫合線材料用パッケージの第３実施形態の部分破断上面図である。
【図７】図６においてＺで示す領域の本発明の外科手術縫合線材料用パッケージの部分的斜視図である。
【図８】当該パッケージは図６と同一方向に置かれており、清浄度を確保するための包容体を備えている、図６に示すパッケージの上面図である。
【図９】図８におけるVIII−VIII線に沿う包容体内に収容された図６に示すパッケージの長手方向の断面図である。
【符号の説明】
１  ベースシート
３  壁部
５  糸導管
７  糸外し領域
１２  糸偏向突出部
【図１】
0004159684.tif 000002
【図２】
0004159684.tif 000003
【図３】
0004159684.tif 000004
【図４】
0004159684.tif 000005
【図５】
0004159684.tif 000006
【図６】
0004159684.tif 000007
【図７】
0004159684.tif 000008
【図８】
0004159684.tif 000009
【図９】
0004159684.tif 000010